(57)【要約】【課題】本発明は、ボールを押さえ付けていなくてもボールを傾斜状態にして安定保持することができるボール安定保持台を提供する。【解決手段】ボール安定保持台１０の保持板１２には平面視真円状のボール挿入保持穴１４が貫通形成され、ミキシングボール１６を挿入保持できるようになっている。このボール挿入保持穴１４の直径寸法はミキシングボール１６の球面状底部１８の中間部１８Ｃの直径寸法と同寸法に設定されている。従って、ミキシングボール１６の球面状底部１８をボール挿入保持穴１４に挿入するとミキシングボール１６の球面状底部１８の中間部１８Ｃが前記ボール挿入保持穴１４の上端縁１４Ａと線接触して保持されるようになっている。【選択図】　　図１
2004135727.tif 000002
【特許請求の範囲】
【請求項１】
底部が球面形状に形成されボールを安定保持できるボール安定保持台であって、このボール安定保持台に設けられる保持板と、この保持板に形成されて前記ボールの球面状底部が挿入されると共にボールの球面状底部が線接触又は点接触してボールを保持するボール挿入保持穴と、を有してなることを特徴とするボール安定保持台。
【請求項２】
底部が球面形状に形成されボールを安定保持できるボール安定保持台であって、このボール安定保持台に設けられる保持板と、この保持板に形成されて前記ボールの球面状底部が挿入されると共にボールの球面状底部が線接触してボールを保持する円形状のボール挿入保持穴と、を有してなることを特徴とするボール安定保持台。
【請求項３】
底部が球面形状に形成されボールを安定保持できるボール安定保持台であって、このボール安定保持台に設けられる保持板と、この保持板に形成されて前記ボールの球面状底部が挿入されると共にボールの球面状底部が点接触してボールを保持する多角形状のボール挿入保持穴と、を有してなることを特徴とするボール安定保持台。
【請求項４】
前記保持板に支持脚板を設けたことを特徴とする請求項１、請求項２、請求項３記載のボール安定保持台。
【発明の詳細な説明】
【０００１】
【発明の属する技術分野】
本発明は、主に食品を製造する場合に食品の原材料をこねたり攪拌したりするために使用される容器のボールを安定して保持することができるボール安定保持台に関する。
【０００２】
【従来の技術】
パンや菓子等の食品を製造する場合に原材料をこねたり攪拌したりするための容器のボールとしてミキシングボールが広く使用されている。
ところで、このミキシングボールの下部には側面が球面状の球面状底部が形成されている。
このため、前記ミキシングボールを作業台等に置く場合はミキシングボールのフラットな底面が作業台に当接して安定してミキシングボールを載置することができるが、作業の都合上前記ミキシングボールを傾斜状態にして作業台に置きたい場合はミキシングボールの球面状底部の側面が作業台に対応するためミキシングボールを押さえ付けていなければならず、そのため作業効率が悪くなるという不具合がある。
【０００３】
【発明が解決しようとする課題】
本発明は、前述の如き事実に鑑みなされたものであり、ボールを押さえ付けていなくてもボールを傾斜状態にして安定保持することができるボール安定保持台を提供するものである。
【０００４】
【課題を解決する手段】
請求項１の発明は、底部が球面形状に形成されボールを安定保持できるボール安定保持台であって、このボール安定保持台に設けられる保持板と、この保持板に形成されて前記ボールの球面状底部が挿入されると共にボールの球面状底部が線接触又は点接触してボールを保持するボール挿入保持穴と、を有してなることを特徴としている。
請求項２の発明は、底部が球面形状に形成されボールを安定保持できるボール安定保持台であって、このボール安定保持台に設けられる保持板と、この保持板に形成されて前記ボールの球面状底部が挿入されると共にボールの球面状底部が線接触してボールを保持する円形状のボール挿入保持穴と、を有してなることを特徴としている。
請求項３の発明は、底部が球面形状に形成されボールを安定保持できるボール安定保持台であって、このボール安定保持台に設けられる保持板と、この保持板に形成されて前記ボールの球面状底部が挿入されると共にボールの球面状底部が点接触してボールを保持する多角形状のボール挿入保持穴と、を有してなることを特徴としている。
請求項４の発明は、前記保持板に支持脚板を設けたことを特徴としている。
【０００５】
【発明の実施の形態】
図１〜図４には本発明のボール安定保持台の第１実施例が示されている。
図１に示されるように、ボール安定保持台１０の保持板１２は一定の肉厚を有すると共に平面視矩形状に形成されている。この保持板１２の中央部には平面視真円状のボール挿入保持穴１４が貫通形成されている。このボール挿入保持穴１４は小麦粉や水等の食品原材料をこねたり攪拌したりする場合に使用される容器のボールとしてのミキシングボール１６（図２〜図４参照）を挿入保持できるようになっている。
図２及び図３に示されるように、前記ミキシングボール１６の上部及び中間部は円筒状に形成され、ミキシングボール１６の下部は側面が球面状に形成された球面状底部１８となっている。また、ミキシングボール１６の底面１６Ａはフラットに形成されている。
前記ボール挿入保持穴１４の直径寸法はミキシングボール１６の球面状底部１８の上部１８Ａの直径寸法より小さく、球面状底部１８の下部１８Ｂの直径寸法より大きく設定されると共に球面状底部１８の中間部１８Ｃの直径寸法と同寸法に設定されている。
従って、図２に示されるようにミキシングボール１６の球面状底部１８を前記ボール挿入保持穴１４に挿入するとミキシングボール１６の球面状底部１８の中間部１８Ｃが前記ボール挿入保持穴１４の上端縁１４Ａに当接し、ミキシングボール１６の球面状底部１８はそれ以上ボール挿入保持穴１４に入り込めないようになっている。
また、前記ミキシングボール１６は球面状底部１８の中間部１８Ｃが前記ボール挿入保持穴１４の上端縁１４Ａで当接することにより、真円状の上端縁１４Ａによってボール安定保持台１０と線接触して保持されるようになっている。
図２〜図４に示されるように、前記保持板１２の下面外周部には支持脚板２０が設けられており、ボール安定保持台１０を作業台２２に載置した場合に保持板１２を作業台２２から離間させた状態に保つことができるようになっている。このため、前記ミキシングボール１６の球面状底部１８を前記ボール挿入保持穴１４に挿入した場合にミキシングボール１６が作業台２２に当接せず、ミキシングボール１６を自由に回転させたり、傾斜させたりすることができるようになっている。
また、図３及び図４に示されるように前記ミキシングボール１６の球面状底部１８の中間部１８Ｃは前記ボール挿入保持穴１４の上端縁１４Ａで保持されるので、ミキシングボール１６を傾斜させても、傾斜状態を安定保持することができる。
【０００６】
次に、第１実施例のボール安定保持台１０の作用について説明する。
ボール安定保持台１０を使用する場合は、ボール安定保持台１０を作業台２２の上に載置する。
そして、ミキシングボール１６の球面状底部１８を前記ボール挿入保持穴１４に挿入するとミキシングボール１６の球面状底部１８の中間部１８Ｃが前記ボール挿入保持穴１４の上端縁１４Ａに当接し、ミキシングボール１６はボール安定保持台１０によって線接触で保持される。
また、前記保持板１２の下部には支持脚板２０が設けられてミキシングボール１６は作業台２２に当接しないため、ミキシングボール１６を自由に回転させたり、傾斜させたりすることができると共にミキシングボール１６を傾斜状態にしてもミキシングボール１６は動いたりせずに安定保持される。
従って、作業者はミキシングボール１６を傾斜状態にして作業をしたい場合であってもミキシングボール１６を押さえ付けておく必要がないので、作業効率の向上を図ることができる。
【０００７】
図５〜図７には本発明のボール安定保持台の第２実施例が示されている。なお、第１実施例のボール安定保持台１０と同一の構成は同一の符号を用いてその説明を省略する。
図５及び図７に示されるように、第２実施例のボール安定保持台３０は後述する台車に載置されて使用されるタイプのボール安定保持台である。このボール安定保持台３０の保持板３２の中央部には円形状のボール挿入保持穴１４が貫通形成され、四隅には切欠部３４が形成されている。なお、前記保持板３２には支持脚板２０は設けられていないが、ボール安定保持台３０は台車に載置されて使用されるためミキシングボール１６を前記ボール挿入保持穴１４に挿入してもミキシングボール１６が保持板３２以外に当接するようなことはない。
図５及び図７に示されるように、前記ボール安定保持台３０を載置する台車３６は４本の縦フレーム３８と８本の横フレーム４０をジョイント４２で連結することにより組み立てて形成されている。
前記縦フレーム３８の上端部に位置するジョイント４２は前記保持板３２の切欠部３４に対応嵌合し、これによりボール安定保持台３０は確実に台車３６の上部に載置されるようになっている。従って、このボール安定保持台３０は台車３６に載置されるため、ボール安定保持台３０を置く作業台２２を不要にすることができる。
また、前記縦フレーム３８の下端面にはそれぞれキャスター４４が設けられているので、ボール安定保持台３０やボール安定保持台３０に挿入保持したミキシングボール１６を容易に移動することができるようになっている。
なお、他の構成及び作用は第１実施例のボール安定保持台１０と同一であるのでその説明は省略する。
【０００８】
なお、前記実施例では平面視真円状のボール挿入保持穴１４を形成したボール安定保持台１０，３０を説明したが、ボール挿入保持穴１４の形状は真円形状に限定されるものでないことは勿論である。
例えば、図８に示されるように正八角形状のボール挿入保持穴５０であってもよい。
このボール挿入保持穴５０の第１辺５０Ａと対向する第２辺５０Ｂの間隔寸法と、第３辺５０Ｃと対向する第４辺５０Ｄの間隔寸法と、第５辺５０Ｅと対向する第６辺５０Ｆの間隔寸法と、第７辺５０Ｇと対向する第８辺５０Ｈの間隔寸法は、前記ミキシングボール１６の球面状底部１８の上部１８Ａの直径寸法より小さく、球面状底部１８の下部１８Ｂの直径寸法より大きく、球面状底部１８の中間部１８Ｃの直径寸法と同寸法に設定されている。
従って、ミキシングボール１６の球面状底部１８を前記ボール挿入保持穴５０に挿入するとミキシングボール１６の球面状底部１８の中間部１８Ｃは前記ボール挿入保持穴５０の第１辺５０Ａの中央部、第２辺５０Ｂの中央部、第３辺５０Ｃの中央部、第４辺５０Ｄの中央部、第５辺５０Ｅの中央部、第６辺５０Ｆの中央部、第７辺５０Ｇの中央部、第８辺５０Ｈの中央部と点当接して安定保持される。
【０００９】
なお、実施例では真円形状のボール挿入保持穴１４や正八角形形状のボール挿入保持穴５０を示したが、ボール挿入保持穴の形状は真円形状や正八角形形状に限定されるものでなく、例えば多角形状であれば正十二角形等でもよいことは勿論である。
また、実施例では容器のボールとしてミキシングボール１６を示したが、ボールであればミキシングボール１６に限定されるものでないことは勿論である。
【００１０】
【発明の効果】
本発明のボール安定保持台は、保持板に形成されたボール挿入保持穴に挿入されるボールは線接触又は点接触によって前記保持板に保持されるので、ボールを回転させたり、傾斜状態にしても安定保持することができ、この結果、作業効率の向上を図ることができるという優れた効果を有する。
【図面の簡単な説明】
【図１】第１実施例のボール安定保持台の斜視図である。
【図２】第１実施例のボール安定保持台のボール挿入保持穴にミキシングボールを挿入した状態の縦断面図である。
【図３】第１実施例のボール安定保持台のボール挿入保持穴にミキシングボールを傾斜状態で挿入した状態の縦断面図である。
【図４】第１実施例のボール安定保持台のボール挿入保持穴にミキシングボールを傾斜状態で挿入した全体斜視図である。
【図５】第２実施例のボール安定保持台を台車に載置した全体斜視図である。
【図６】第２実施例のボール安定保持台を台車に載置した平面図である。
【図７】第２実施例のボール安定保持台のボール挿入保持穴にミキシングボールを傾斜状態で挿入した全体斜視図である。
【図８】実施例の変形例を示すボール安定保持台の平面図である。
【符号の説明】
１０　　ボール安定保持台
１２　　保持板
１４　　ボール挿入保持穴
１６　　ミキシングボール
１８　　球面状底部
２０　　支持脚板
【図１】
2004135727.tif 000003
【図２】
2004135727.tif 000004
【図３】
2004135727.tif 000005
【図４】
2004135727.tif 000006
【図５】
2004135727.tif 000007
【図６】
2004135727.tif 000008
【図７】
2004135727.tif 000009
【図８】
2004135727.tif 000010